(57)【特許請求の範囲】
【請求項１】
窓枠と、この窓枠内に、この窓枠の幅方向に水平移動可能に建て込まれた外障子と、この窓枠のうちでこの外障子が建て込まれた部分よりも屋外側部分に、この窓枠の幅方向に水平移動可能に建て込まれた網戸と、この網戸の自走を防止する為の自走防止装置とを備えた網戸自走防止装置付窓装置であって、
このうちの自走防止装置は、施錠具と、受具とを備えており、これら施錠具と受具とが係合するロック状態と、これら施錠具と受具とが非係合となるアンロック状態とを、切り替え可能であり、
このうちの施錠具は、前記網戸を構成する１対の縦框のうち、前記窓枠の幅方向に関して前記外障子を構成する戸先框と同じ側に設けられた一方の縦框の内側に設けられており、前記施錠具には、前記一方の縦框を構成する屋内側壁に形成された開口部を通じて屋内側からの操作が可能で且つこの操作に基づき可動し、少なくとも前記ロック状態で、その一部又は全部が前記一方の縦框の屋内側壁よりも屋内側に位置する施錠片が設けられており、
前記受具は、前記外障子を構成する戸先框の屋外側部分に設けられており、
前記施錠片を前記ロック状態を実現する位置に可動させた状態で、前記外障子と前記網戸とが屋内外方向に重なる様にこの外障子を閉鎖位置に移動させる事で、前記受具を構成する受片を前記施錠片に対し、少なくとも前記窓枠の幅方向に関して係合させて、前記ロック状態を実現する事を特徴とする網戸自走防止装置付窓装置。
【請求項２】
前記施錠片と前記受片とが、前記窓枠の幅方向に関して係合すると共に、屋内外方向に関して係合する、請求項１に記載した網戸自走防止装置付窓装置。
【発明の詳細な説明】
【技術分野】
【０００１】
本発明は、窓枠に対し水平移動可能に建て込まれた網戸が、強風時等に、自走する事を防止する為の自走防止装置を備えた、網戸自走防止装置付窓装置の改良に関する。
【背景技術】
【０００２】
従来から、各種建造物の窓開口を開閉する為の窓装置として、窓枠内に建て込んだ引戸障子を、この窓枠の幅方向に水平移動させる引戸式の窓装置が、広く知られている。又、虫の侵入防止を図りつつ風通しを確保する等の目的から、窓枠内に建て込まれた引戸障子の屋外側に網戸を建て込む事も、広く一般的に行われている。
【０００３】
従来から一般的に使用されている網戸は、アルミニウム合金製の網戸枠に、合成樹脂製又は金属製の網を張着して成るもので、軽量である。この為、開閉方向への移動には大きな力を要せずに済む。又、近年、網戸の下辺を構成する下框に、窓枠を構成する下枠に形成された網戸用下部案内レール上を走行可能な戸車を設ける等、網戸の移動をより小さな力で行える様にする為の各種構造も採用されている。
【０００４】
ところが、上述の様に、網戸の移動には大きな力を要しない為、この網戸を開閉する者の負担は小さく済む反面、強風時等に、網戸に開閉方向の力が作用すると、この網戸が勝手に移動（自走）する可能性がある。例えば、台風の接近時や高層マンション等の高層建造物では、この様な問題が生じ易くなる。
【０００５】
この様な事情に鑑みて、例えば特許文献１には、網戸の自走を防止する為に、窓枠と網戸との間に、網戸用の自走防止装置を設ける事が提案されている。図１６〜１７は、特許文献１に記載されたものとほぼ同様の従来構造の網戸自走防止装置付の窓装置１を示している。この窓装置１は、窓枠２と、１対の引戸障子である外障子３及び内障子４と、網戸５と、自走防止装置６とを備えている。
【０００６】
このうちの外障子３及び内障子４は、前記窓枠２内に、この窓枠２の幅方向（図１６の左右方向）に水平移動可能に建て込まれている。又、前記網戸５は、この窓枠２のうちで、前記外障子３及び前記内障子４が建て込まれた部分よりも屋外側部分に、この窓枠２の幅方向に水平移動可能に建て込まれている。前記自走防止装置６は、施錠具７と受具８とから成る。このうちの施錠具７は、前記網戸５を構成する１対の縦框９ａ、９ｂのうち、一方の縦框９ｂに固定されている。これに対し、前記受具８は、前記窓枠２を構成する１対の縦枠１０ａ、１０ｂのうち、この窓枠２の幅方向に関して前記一方の縦框９ｂと同じ側に設けられた一方の縦枠１０ｂに固定されている。
【０００７】
前記施錠具７は、操作部１１と、施錠片１２とを備えている。このうちの操作部１１は、前記一方の縦框９ｂの屋外側面に露出する状態で設けられている。又、前記施錠片１２は、金属板を略Ｌ字形に折り曲げる事により形成されている。そして、このうちの操作部１１を上下方向に操作する事で、この施錠片１２を、上下方向にスライドできる様に構成している。
【０００８】
前記受具８は、取付座部１３と、略コ字形に折れ曲がった受片１４とから構成されており、このうちの取付座部１３には、貫通孔である１対の取付孔１５、１５が形成されている。この様な構成を有する前記受具８は、これら両取付孔１５、１５を挿通した、図示しない取付ねじを利用して、前記窓枠２を構成する一方の縦枠１０ｂにねじ止め固定されている。
【０００９】
上述の様な構成を有する従来構造の窓装置１の場合、前記網戸５の自走を防止するには、この網戸５を、この網戸５の一方の縦框９ｂを前記窓枠２の一方の縦枠１０ｂに突き合わせる閉鎖位置にまで移動させた後、前記操作部１１を上下方向に操作する。これにより、前記施錠片１２を上下方向に移動させて、この施錠片１２と前記受片１４とを、前記窓枠２の幅方向に関して係合させる。従って、前記窓装置１によれば、強風時等に於いても、前記施錠片１２と前記受片１４との係合により、前記網戸５が、閉鎖位置から開放方向に移動（自走）する事を防止できる。
【００１０】
但し、従来構造の窓装置１の場合、前記網戸５の自走を防止するには、この網戸５を閉鎖位置に移動させた後、前記操作部１１を屋外側から操作する必要があり面倒である。この為、この操作部１１を操作する操作者は、ベランダ等の屋外に出る必要がある。又、例えば清掃作業の為に、前記網戸５を開放方向に移動する必要がある場合には、前記操作部１１を操作し、前記施錠片１２と前記受片１４との係合を一時的に解除する必要がある。そして、清掃作業終了後には、前記操作部１１を改めて操作する必要がある為、この操作部１１を操作し忘れる（ロックし忘れる）可能性がある。この様に、従来構造の窓装置１の場合には、前記網戸５の自走を防止する為の作業の作業性が悪く、しかもロック忘れを生じ易いといった問題がある。更に、前記自走防止装置６を、既存の窓に対して設置する場合には、前記受具８を、建造物の開口部に固定された窓枠２に取り付ける必要がある。この為、施工時に於ける居住者への負担が大きくなり易いといった問題もある。
【先行技術文献】
【特許文献】
【００１１】
【特許文献１】特開２００８−１９０２３７号公報
【発明の概要】
【発明が解決しようとする課題】
【００１２】
本発明は、上述の様な事情に鑑みて、網戸の自走を防止する為の作業の作業性が良好で、しかもロック忘れを生じにくい、網戸自走防止装置付窓装置の構造を実現すべく発明したものである。
【課題を解決するための手段】
【００１３】
本発明の網戸自走防止装置付窓装置は、窓枠と、この窓枠内に、この窓枠の幅方向に水平移動可能に建て込まれた１乃至複数の外障子と、この窓枠のうちでこの外障子が建て込まれた部分よりも屋外側部分に、この窓枠の幅方向に水平移動可能に建て込まれた網戸と、この網戸の自走を防止する為の自走防止装置とを備える。
この自走防止装置は、施錠具と、受具とを備えており、これら施錠具と受具とを係合させるロック状態と、これら施錠具と受具とを係合させないアンロック状態とを、切り替え可能である。
このうちの施錠具は、前記網戸を構成する１対の縦框のうち、前記窓枠の幅方向に関して前記外障子を構成する戸先框と同じ側に設けられた一方の縦框の内側に設けられている。
又、前記施錠具には、前記一方の縦框を構成する屋内側壁に形成された開口部を通じて屋内側からの操作（例えば回転操作やスライド操作）が可能で、且つ、この操作に基づき可動（例えば回転や上下方向にスライド又は左右方向にスライド）する、少なくとも前記ロック状態で、その一部又は全部が前記一方の縦框の屋内側壁よりも屋内側に位置する施錠片が設けられている。
前記受具は、前記外障子を構成する戸先框の屋外側部分に設けられている。
そして、前記施錠片を、前記受具（受片）との係合が可能になる前記ロック状態を実現する位置に可動させた状態で、前記外障子と前記網戸とが屋内外方向に重なる様に、この外障子を閉鎖位置に移動させる事で、前記受具を構成する受片を、前記施錠片に対し、前記外障子の閉鎖方向に関して後方側から、少なくとも前記窓枠の幅方向に係合させて、前記ロック状態を実現する。
【００１４】
又、本発明を実施する場合に好ましくは、例えば請求項２に記載した発明の様に、前記施錠片と前記受片とを、前記窓枠の幅方向（見付方向）に関して係合させると共に、屋内外方向（見込方向）に関して係合させる。
【００１５】
又、本発明を実施する場合には、例えば、前記外障子と内障子とを、それぞれ１枚ずつ設け、これら両障子を、前記窓枠内に、この窓枠の幅方向にそれぞれ水平移動可能に建て込む事もできる。
又は、本発明を実施する場合に、前記外障子のみを、前記窓枠内に水平移動可能に建て込む事もできる。その際、内障子は移動不能に建て込む事もできるし、内障子に対応する部分を方立等により窓枠内に設ける事もできる。
又は、本発明を実施する場合に、前記外障子と前記内障子とのうち、何れか一方の障子を１枚設け、他方の障子を２枚設けた、３枚建ての構成を採用する事もできるし、両方の障子をそれぞれ２枚ずつ設けた、４枚建ての構成を採用する事もできる。
【発明の効果】
【００１６】
以上の様な構成を有する本発明の網戸自走防止装置付窓装置によれば、網戸の自走を防止する為の作業の作業性を良好にする事ができ、しかもロック忘れを生じにくくできる。
即ち、本発明の場合には、自走防止装置を構成する施錠具と受具とのうち、施錠具を、網戸を構成する１対の縦框のうち、窓枠の幅方向に関して外障子を構成する戸先框と同じ側に設けられた一方の縦框に設けると共に、受具を、この外障子の戸先框の屋外側部分に設けている。又、前記施錠具には、屋内側からの操作が可能で、且つ、この操作に基づき可動する、少なくともロック状態で前記一方の縦框よりも屋内側に位置する施錠片を設けている。
この為、前記外障子を開放（特に網戸が閉鎖位置に存在する場合は僅かに開放）するだけで、前記施錠具を室内から容易に操作する事ができる。又、この様な操作により、前記施錠片を、前記受具（受片）との係合が可能になるロック状態を実現するロック位置に移動させたならば、前記外障子を閉鎖位置に移動させるだけで、前記受具を構成する受片と前記施錠片とを前記窓枠の幅方向に係合させる事ができ、前記ロック状態を実現できる。
又、本発明の場合、前記施錠片をロック位置に移動させたままの状態でも、前記外障子を開放方向に移動させる事で、この外障子の開放範囲で前記網戸を開放方向に移動させる事が可能になる。この為、例えば清掃作業の為に、この網戸を開放する必要がある場合にも、前記施錠片を、前記受片との係合が不能になるアンロック位置に移動させなくても、前記網戸を開放する事ができる。そして、清掃作業終了後は、網戸の自走を防止する為の特別な操作を行わなくても、前記外障子をこの網戸と共に閉鎖位置に移動させるだけで、ロック状態を実現できる。
以上の様に、本発明によれば、網戸の自走を防止するのに要する作業を、全て室内から行う事が可能になる。又、前記網戸を、一時的に開放する必要がある場合にも、前記施錠片をロック位置から移動させずに行う事ができ、この施錠片の操作を不要にできる。
従って、本発明によれば、網戸の自走を防止する為の作業の作業性を良好にする事ができ、しかもロック忘れを生じにくくできる。
更に、本発明の場合には、前記自走防止装置を構成する施錠具及び受具を、建造物に固定された窓枠ではなく、この窓枠から取り外しが可能な外障子（戸先框）及び網戸（縦框）に取り付ける為、この取付作業を、居室から離れた場所で行う事ができる。従って、施工時に於ける居住者への負担軽減を図る事もできる。
【００１７】
又、前述した請求項２に記載した発明によれば、前記網戸が、前記窓枠の幅方向に自走する事を防止できるだけでなく、屋内外方向に脱落する事を有効に防止する事ができる。
【図面の簡単な説明】
【００１８】
【図１】本発明の実施の形態の１例に係る網戸自走防止装置付の窓装置を、建造物の屋外側から見た略正面図。
【図２】自走防止装置をアンロック状態に切り替えた状態で示す横断面図。
【図３】同じく図２のＡ部拡大図。
【図４】同じく縦断面方向を示す説明図。
【図５】自走防止装置をロック状態に切り替えた状態で示す、図２に相当する図。
【図６】同じく図３に相当する図。
【図７】同じく図４に相当する図。
【図８】自走防止装置を構成する網戸側施錠具を取り出し、施錠片をアンロック位置に移動した状態で示す、正面図（Ａ）、平面図（Ｂ）、底面図（Ｃ）、右側面図（Ｄ）、左側面図（Ｅ）、背面図（Ｆ）。
【図９】自走防止装置を構成する網戸側施錠具を取り出し、施錠片をロック位置に移動した状態で示す、正面図（Ａ）、平面図（Ｂ）、底面図（Ｃ）、右側面図（Ｄ）、左側面図（Ｅ）、背面図（Ｆ）。
【図１０】網戸側施錠具を構成するケース部を取り出して示す、正面図（Ａ）、平面図（Ｂ）、底面図（Ｃ）、右側面図（Ｄ）、左側面図（Ｅ）、背面図（Ｆ）。
【図１１】網戸側施錠具を構成する施錠片を取り出して示す、正面図（Ａ）、平面図（Ｂ）、底面図（Ｃ）、右側面図（Ｄ）、左側面図（Ｅ）、背面図（Ｆ）。
【図１２】網戸側施錠具を構成する軸部を取り出して示す図。
【図１３】障子側受具を取り出して示す、正面図（Ａ）、平面図（Ｂ）、底面図（Ｃ）、右側面図（Ｄ）、左側面図（Ｅ）、背面図（Ｆ）。
【図１４】自走防止装置の側面図を示しており、（Ａ）はアンロック状態を、（Ｂ）はロック状態をそれぞれ示している。
【図１５】本発明に関する参考例を示す模式図。
【図１６】従来構造の網戸自走防止装置付の窓装置を屋外側から見た略正面図。
【図１７】同じく一部を省略して示す斜視図。
【発明を実施するための最良の形態】
【００１９】
［実施の形態の１例］
図１〜１４は、本発明の実施の形態の１例を示している。本例の窓装置１ａの場合には、窓枠１６の内側に、１対のガラス障子である外障子１７及び内障子１８を、この窓枠１６の幅方向（図１の左右方向）に引違い式に水平移動可能に建て込むと共に、この窓枠１６のうちで前記外障子１７及び内障子１８が建て込まれた部分よりも屋外側部分に、網戸１９を、前記窓枠１６の幅方向に水平移動可能に建て込んでいる。
【００２０】
このうちの窓枠１６は、上辺を構成する上枠２０と、下辺を構成する下枠２１と、左右の縦辺を構成する１対の縦枠２２ａ、２２ｂとにより、矩形枠状に構成している。又、前記外障子１７は、上辺を構成する上框２３ａと、下辺を構成する下框２４ａと、それぞれが左右の縦辺を構成する縦框である、召し合わせ框２５ａ及び戸先框２６ａとにより、ガラスパネル２７ａの四辺を囲んで成る。又、前記内障子１８も同様に、上辺を構成する上框２３ｂと、下辺を構成する下框２４ｂと、それぞれが左右の縦辺を構成する縦框である、召し合わせ框２５ｂ及び戸先框２６ｂとにより、ガラスパネル２７ｂの四辺を囲んで成る。
【００２１】
前記網戸１９は、矩形枠状の網戸枠２８と、この網戸枠２８に張付された網２９とを有する。このうちの網戸枠２８は、上辺を構成する上框３０と、下辺を構成する下框３１と、左右の縦辺を構成する縦框３２ａ、３２ｂとから成る。又、これら各框３０、３１、３２ａ、３２ｂは、それぞれアルミニウム合金の一体押し出し成形材製である。又、前記網２９は、合成樹脂（熱可塑性樹脂）製又は金属製である。
【００２２】
又、前記網戸１９は、前記上框３０の上面に開口した上部案内溝３３内に、前記上枠２０の屋外側端部下面に形成された網戸用上部案内レール３４を係合させると共に、前記下框３１にその長さ方向に離隔して設置された１対の戸車３５を、前記下枠２１の屋外側端部上面に形成された網戸用下部案内レール３６に係合させている。これにより、前記網戸１９を、前記窓枠１６に対し、この窓枠１６の幅方向に水平移動可能に建て込んでいる。尚、前記網戸１９の上下両框３０、３１の長さ方向両端部には、前記網戸用上下部案内レール３４、３６と係合する樹脂製の網戸上部振れ止め７０及び網戸下部振れ止め７１が設けられている。これにより、前記網戸１９の水平移動をスムーズに行う事が可能になると共に、前記窓枠１６の縦枠２２ａを構成する縦枠室外側壁部７２に当接させる事で、前記網戸１９の幅方向の位置決めを図っている。又、以下の説明で、前記網戸１９に関して閉鎖位置とは、屋内外方向に関して前記外障子１７と重なる位置（図１の右側、図２、５の左側）に移動した状態を言い、反対に開放位置とは、屋内外方向に関して前記内障子１８と重なる位置（図１の左側、図２、５の右側）に移動した状態を言う。
【００２３】
特に本例の場合には、前記窓枠１６に対し水平移動可能に建て込まれた網戸１９と、この窓枠１６に水平移動可能に建て込まれた外障子１７との間部分に、この網戸１９の自走を防止する為の自走防止装置３７を設けている。そして、強風時に於いても、前記網戸１９が、閉鎖位置から開放方向へと移動する事を防止（閉塞状態を確保）できる様にしている。
【００２４】
前記自走防止装置３７は、網戸側施錠具３８と障子側受具３９とを備えている。そして、この自走防止装置３７は、これら網戸側施錠具３８と障子側受具３９とが係合するロック状態と、これら網戸側施錠具３８と障子側受具３９とが非係合となるアンロック状態とを、切り替え可能に構成している。
【００２５】
前記網戸側施錠具３８は、ケース部４０と、このケース部４０に対し回動可能に支持された回動施錠片４１とを備えている。
このうちのケース部４０は、ステンレス鋼板等の金属板を所定の形状に打ち抜き、折り曲げ形成したもので、図１０に示した様に、全体を略コ字形状に構成している。前記ケース部４０は、１対の側板部４２ａ、４２ｂと、これら両側板部４２ａ、４２ｂの幅方向片端部同士を連結した連結板部４３とを備えている。そして、一方の側板部４２ａには、上下両端寄り部分に１対の予備取付孔４４ａ、４４ａが形成されており、上下方向中間部に支持孔４５ａが形成されている。又、他方の側板部４２ｂには、上下両端寄り部分に１対の予備取付孔４４ｂ、４４ｂがバーリングタップ加工により形成されており、上下方向中間部に支持孔４５ｂが形成されている。本例の場合、前記一方の側板部４２ａに形成された支持孔４５ａの直径を、前記他方の側板部４２ｂに形成された支持孔４５ｂの直径よりも小さくしている。又、前記連結板部４３は、開口部４６を挟んで上下方向に離隔して設けられた１対の連結片４７ａ、４７ｂから構成されている。これら両連結片４７ａ、４７ｂのうち、上側に設けられた連結片４７ａは、四角形状（正方形状）に構成されている。これに対し、下側に設けられた連結片４７ｂは、幅方向中間部にその一端縁が前記開口部４６に連続した上下方向に長い切り欠き４８が形成されており、略コ字形状に構成されている。又、前記両連結片４７ａ、４７ｂには、ねじ孔である取付孔４９ａ、４９ｂがそれぞれ１個ずつ、バーリングタップ加工により形成されている。
【００２６】
前記回動施錠片４１は、ステンレス鋼板等の金属板を所定の形状に打ち抜き、折り曲げ形成したもので、図１１に示した様に、全体を略Ｌ字形状（鉤形状）に構成しており、前記網戸側施錠具３８の取付状態で、屋内側（室内）からの操作が可能で、且つ、この操作に基づき回動するものである。又、前記回動施錠片４１は、平板状の基半部５０と、略コ字形状に折れ曲がった先半部５１とを備えており、その先端部（先半部５１の一部）に前記基半部５０に対しほぼ直角方向に折れ曲がった係止板部５２が設けられている。この係止板部５２は、前記回動施錠片４１の幅方向両側｛図１１の（Ａ）、（Ｆ）の表裏方向、同図の（Ｂ）、（Ｃ）、（Ｄ）、（Ｅ）の左右方向｝に向かう程前記基半部５０から離れる方向に湾曲している。又、この基半部５０には、後述する枢軸５４を挿通する為の貫通孔５３が形成されている。
【００２７】
上述の様な構成を有する前記回動施錠片４１は、図１２に示した様な枢軸５４を利用して、前記ケース部４０に回動（揺動）可能に支持されている。具体的には、前記回動施錠片４１の基半部５０に形成された貫通孔５３内に、前記枢軸５４の軸方向中間部を緩く挿通した状態で、この枢軸５４の小径円柱状の先端部５５を、前記一方の側板部４２ａに形成された支持孔４５ａに内嵌すると共に、前記枢軸５４の部分円すい柱状の基端部５６を、前記他方の側板部４２ｂに形成された前記支持孔４５ｂに内嵌している。又、前記枢軸５４が前記ケース部４０から抜け出る事を防止する為に、かしめ加工を施している。又、本例の場合、前記枢軸５４の軸方向中間部の周囲で、前記回動施錠片４１の基半部５０の両側面と前記両側板部４２ａ、４２ｂの内側面との間部分に、それぞれ円輪状のワッシャ５７、５７を設けている。
【００２８】
従って、前記回動施錠片４１は、前記枢軸５４を中心とする回動を可能に、前記ケース部４０内に支持されている。又、本例の場合、前記回動施錠片４１の回動範囲を、図１４の（Ａ）に示したアンロック位置から、同図の（Ｂ）に示したロック位置の範囲に規制している。先ず、前記回動施錠片４１が、アンロック位置から反時計回りに回動する事を防止する為に、この回動施錠片４１又は前記ケース部４０の一部に、図示しない回り止め部を設けている。これにより、前記回動施錠片４１が、前記両側板部４２ａ、４２ｂと略平行に（取付状態で垂直方向に）配置されたアンロック位置から、前記開口部４６から退避する方向である、反時計回りに回動する事を阻止している。又、前記回動施錠片４１が、ロック位置から時計回りに回動する事を防止する為に、この回動施錠片４１を構成する基半部５０の幅方向片端部を前記切り欠き４８の溝底部に係合させている。これにより、前記回動施錠片４１が、前記両側板部４２ａ、４２ｂに対し略直角方向（取付状態で水平方向）に配置されたロック位置から、時計回りに回動する事を阻止している。従って、本例の場合には、前記回動施錠片４１は、およそ９０度回動する事が可能である。
【００２９】
本例の場合、上述の様な構成を有する前記網戸側施錠具３８を、前記網戸１９を構成する１対の縦框３２ａ、３２ｂのうち、前記窓枠１６の幅方向に関して前記外障子１７の戸先框２６ａと同じ側に設けられた一方（図１の右側、図２、５の左側）の縦框３２ａに、支持固定している。この為に、この一方の縦框３２ａを構成する屋内側壁５８の上下方向中間部（中央部）に、網戸側開口部５９を形成すると共に、この網戸側開口部５９の上下両側部分に、１対の通孔６０ａ、６０ｂを形成している。この網戸側開口部５９の上下方向寸法は、前記ケース部４０に形成した開口部４６と切り欠き４８の上下方向寸法を合計した値と等しいか、これよりも僅かに大きく設定されている。又、前記両通孔６０ａ、６０ｂのピッチは、前記ケース部４０を構成する連結板部４３に形成した１対の取付孔４９ａ、４９ｂのピッチと等しい。本例の場合には、前記網戸側施錠具３８を、前記一方の縦框３２ａの上下方向中間部の内側に配置した状態で、前記両通孔６０ａ、６０ｂを挿通した取付ねじ（平ねじ）６１ａ、６１ｂを、前記各取付孔４９ａ、４９ｂに螺合し更に締め付けている。これにより、前記網戸側施錠具３８を、前記一方の縦框３２ａに対しねじ止め固定している。
【００３０】
以上の様な構成を有する本例の場合、前記一方の縦框３２ａの屋内側壁５８に形成された網戸側開口部５９を通じて、室内側から手指を挿入する事で、前記回動施錠片４１を回動操作させる事が可能である。尚、図示は省略するが、操作部を網戸側施錠具３８の上下方向に隣接して設け、操作部の操作（例えば上下スライド）と前記回動施錠片４１の回動を連動させても良い。そして、この回動施錠片４１を、前記アンロック位置からロック位置まで回動させる事で、この回動施錠片４１を構成する先半部５１を、前記屋内側壁５８よりも屋内側に突出させる事ができる。
尚、本例では、前記網戸側施錠具３８を、前記ケース部４０を構成する連結板部４３に設けた１対の取付孔４９ａ、４９ｂを利用して、前記一方の縦框３２ａにねじ止め固定しているが、例えば、前記網戸側施錠具３８は、前記ケース部４０を構成する各側板部４２ａ、４２ｂに形成した予備取付孔４４ａ、４４ｂを利用してねじ止め固定する事もできる。本例の様に、前記連結板部４３の取付孔４９ａ、４９ｂを利用して固定する場合には、前記各予備取付孔４４ａ、４４ｂは省略しても良い。
【００３１】
これに対し、前記障子側受具３９は、ステンレス鋼板等の金属板を所定の形状に打ち抜き、折り曲げ形成したもので、図１３に示した様に、矩形平板状の取付座部６２と、この取付座部６２の一端部（取付状態で屋外側端部）からほぼ直角に折り曲げられた受片６３とから成る。又、前記取付座部６２には、長さ方向（取付状態で上下方向）に離隔した１対の取付孔６４ａ、６４ｂが形成されている。又、前記受片６３は、前記取付座部６２の一端部に連続する状態で設けられた受片本体部６５と、この受片本体部６５の長さ方向両端部（取付状態で上下両端部）から前記取付座部６２に近づく方向にほぼ直角に折れ曲がった１対のガイド部６６ａ、６６ｂとを備えている。又、これら両ガイド部６６ａ、６６ｂの内側面同士の間隔は、前記回動施錠片４１を構成する先半部５１（係止板部５２）の幅寸法よりも少しだけ大きく設定されている。
【００３２】
本例の場合、上述の様な構成を有する前記障子側受具３９を、前記外障子１７を構成する戸先框２６ａのうち、上下方向中間部（中央部）の屋外側部分に固定している。この為に、この戸先框２６ａの屋外側壁を構成する見込壁６７に、１対のねじ孔６８を形成している。これら両ねじ孔６８のピッチは、前記障子側受具３９に設けられた１対の取付孔６４ａ、６４ｂのピッチと等しい。本例の場合には、前記障子側受具３９を前記戸先框２６ａの屋外側部分に、前記受片６３を屋外側に向けて配置した状態で、前記両取付孔６４ａ、６４ｂを挿通した取付ねじ（平ねじ）６９ａ、６９ｂを、前記両ねじ孔６８に螺合し更に締め付けている。これにより、前記障子側受具３９を、前記外障子１７を構成する戸先框２６ａの見込壁６７にねじ止め固定している。又、本例の場合、前記網戸側施錠具３８の上下方向に関する取付位置及び前記回動施錠片４１の屋内側壁５８からの突出量等を考慮して、前記障子側受具３９の固定位置を決定している。尚、図示は省略するが、取付座部６２に形成する１対の取付孔を長孔として、障子側受具の上下方向に関する設置位置を微調整できる様にしても良い。又、同様に図示は省略するが、前記障子側受具３９を、樹脂製カバーにより覆う事も可能である。
【００３３】
以上の様な構成を有する本例の窓装置１ａの場合、前記自走防止装置３７を、アンロック状態とロック状態との間で切り替える作業は、次の様にして行う。
始めに、アンロック状態からロック状態に切り替える作業に就いて説明する。
先ず、前記外障子１７を、図２に示した様な閉鎖位置から開放方向に移動させると共に、前記網戸１９を閉鎖位置に移動させる。尚、この網戸１９が、閉鎖位置にもともと存在している場合には、この様な網戸１９の移動作業は不要であり、前記外障子１７を閉鎖位置から僅かに開放すれば足りる。
【００３４】
次いで、前記窓枠１６の縦枠２２ａと前記外障子１７の戸先框２６ａとの開口部（隙間）を通じて、前記網戸側施錠具３８を構成する回動施錠片４１を手指で操作する。そして、この回動施錠片４１を、前記ケース部４０内に垂直方向に配置されたアンロック位置から、前記枢軸５４を回転中心として、屋内側（手前側）且つ下方に向けて回動させる。これにより、前記回動施錠片４１を構成する先半部５１の前記屋内側壁５８からの突出量を大きくして、最終的に、前記回動施錠片４１の基半部５０を前記切り欠き４８の溝底部に係合させる。これにより、この回動施錠片４１をロック位置に移動させる。
【００３５】
その後、前記外障子１７を、この外障子１７と前記網戸１９とが屋内外方向に重なる様に、閉鎖位置に移動させる。つまり、この外障子１７を構成する戸先框２６ａと、前記窓枠１６を構成する縦枠２２ａとを突き合わせる。
【００３６】
これにより、前記外障子１７の戸先框２６ａに固定した前記障子側受具３９のうちの受片６３を、前記回動施錠片４１のうちの先半部５１に対し、前記外障子１７の閉鎖方向に関して後方側（図５、６の右側）から、前記窓枠１６の幅方向に関して係合させて、前記ロック状態を実現する。より具体的には、この窓枠１６の幅方向に対向する、前記受片６３（受片本体部６５及びガイド部６６ａ、６６ｂ）の幅方向片端縁と、前記回動施錠片４１の先半部５１（係止板部５２以外の部分）の幅方向側面とを係合させると共に、屋内外方向に対向する、前記受片本体部６５の屋内側側面と前記係止板部５２の屋外側側面とを係合させる。この結果、本例の場合には、強風時にも、前記網戸１９が水平方向に自走する（閉鎖位置から開放方向に移動する）事を防止できると共に、この網戸１９が屋外側に向けて脱落する事も有効に防止できる。尚、図示は省略するが、網戸１９が強風を受けて脱落する場合、網戸１９の上下方向中間部が屋外側に向かって移動（湾曲）するので、前記係止板部５２も屋外側｛図１４の（Ｂ）の左側｝に向かって移動する。よって、この係止板部５２の上下各端部と前記ガイド部６６ａ、６６ｂとを上下方向に係合させる事で、前記網戸１９をより強固に係合させる事もできる。
【００３７】
これに対し、前記自走防止装置３７を、上述の様なロック状態からアンロック状態に切り替えるには、次の様な作業を行う。
先ず、前記外障子１７を、閉鎖位置から開放方向に移動させる。
本例の場合、この外障子１７を閉鎖位置から開放方向に移動させると、前記回動施錠片４１はロック位置から回転していないにも拘らず、前記受片６３がこの回動施錠片４１から前記窓枠１６の幅方向に関して中央側に向けて離れる為、これら受片６３と回動施錠片４１との係合は実質的に解除され、アンロック状態となる。但し、この状態では、前記網戸１９は、開放方向に自由に移動する事が可能になるわけではなく、前記外障子１７の閉鎖位置からの移動量（開放範囲）に応じて、開放方向に移動する事が可能になるだけである。この為、完全なアンロック状態ではなく、不完全なアンロック状態（半ロック状態）である。従って、前記外障子１７を開放位置に移動させているか否かに関係なく、前記網戸１９の移動を可能にする、完全なアンロック状態を実現する為には、次述する作業を併せて行う必要がある。
【００３８】
即ち、前記窓枠１６の縦枠２２ａと前記外障子１７の戸先框２６ａとの開口部を通じて、前記網戸側施錠具３８を構成する回動施錠片４１を手指で操作する。そして、この回動施錠片４１を、水平方向に配置されたロック位置から、前記枢軸５４を回転中心として、屋外側且つ上方に向けて回動させる。これにより、前記回動施錠片４１を、アンロック位置に移動させる。そして、前記回動施錠片４１の先半部５１の前記屋内側壁５８からの突出量をゼロにする。
【００３９】
これにより、前記障子側受具３９のうちの受片６３と、前記回動施錠片４１のうちの先半部５１とを、前記窓枠１６の幅方向に関して非係合にすると共に、屋内外方向に関しても非係合にして、完全なアンロック状態を実現する。この結果、前記外障子１７を閉鎖位置から移動させなくても、前記網戸１９を開閉方向に自由に移動させる事が可能になる。
【００４０】
以上の様な構成を有する本例の窓装置１ａによれば、前記網戸１９の自走を防止する為の作業の作業性を良好にする事ができ、しかもロック忘れを生じにくくできる。
即ち、本例の場合には、前述した様に、前記外障子１７を開放（特に網戸１９が閉鎖位置に存在する場合は僅かに開放）するだけで、前記網戸側施錠具３８を構成する回動施錠片４１を、室内から容易に回動操作する事ができる。又、この様な回動操作により、前記回動施錠片４１を、前記受片６３との係合が可能になるロック位置に移動させたならば、前記外障子１７を閉鎖位置に移動させるだけで、前記受片６３と前記回動施錠片４１とを前記窓枠１６の幅方向に係合させて、前記ロック状態を実現できる。
【００４１】
又、本例の場合には、前記回動施錠片４１をロック位置に移動させたままの状態でも、前記外障子１７を開放方向に移動させる事で、この外障子１７の開放範囲で前記網戸１９を開放方向に移動させる事が可能になる（半ロック状態を実現できる）。この為、例えば清掃作業の為に、前記網戸１９を開放する必要がある場合にも、前記回動施錠片４１を、前記受片６３との係合を不能にするアンロック位置に移動させなくても、前記網戸１９をある程度は開放する事ができる。そして、清掃作業終了後は、この網戸１９の自走を防止する為の特別な操作を行わなくても、前記外障子１７をこの網戸１９と共に閉鎖位置に移動させるだけで、完全なロック状態を実現できる。
【００４２】
以上の様に、本例の窓装置１ａによれば、前記網戸１９の自走を防止するのに要する作業（網戸側施錠具３８の操作及び外障子１７の開閉作業）を、全て室内から行う事が可能になる。又、前記網戸１９を、一時的に開放する必要がある場合にも、前記回動施錠片４１をロック位置から移動させずに行う事ができ、この回動施錠片４１の操作を不要にできる。従って、本例の場合には、前記網戸１９の自走を防止する為の作業の作業性を良好にする事ができ、しかもロック忘れを生じにくくできる。
【００４３】
更に、本例の場合には、前記自走防止装置３７を構成する網戸側施錠具３８及び障子側受具３９を、建造物に固定された前記窓枠１６ではなく、この窓枠１６から取り外しが可能な前記外障子１７（戸先框２６ａ）及び前記網戸１９（縦框３２ａ）に対し取り付ける為、この取付作業を、居室から離れた場所で行う事ができる。従って、施工時に於ける居住者への負担軽減を図る事もできる。
【００４４】
［本発明に関連する参考例］
図１５は、本発明に関連する参考例を示している。本参考例の場合にも、上述した実施の形態の場合と同様に、窓枠１６内に、外障子１７ａ及び内障子１８ａを１枚ずつ建て込んでいるが、本参考例の場合には、このうちの外障子１７ａを移動不能に建て込んでいる（ＦＩＸ構造としている）。この様な構成を有する本参考例の場合、網戸１９の自走を防止する為の自走防止装置３７ａを、前記実施の形態の場合と同様に、前記外障子１７ａを構成する戸先框２６ａと前記網戸１９を構成する縦框３２ａとの間部分に設けると、この外障子１７ａが移動不能である事に基づき、前記自走防止装置３７ａを操作する事ができなくなる。この為、本参考例の場合には、この自走防止装置３７ａを、前記外障子１７ａを構成する召し合わせ框２５ａと、前記網戸１９を構成する１対の縦框３２ａ、３２ｂのうち、前記窓枠１６の幅方向に関して前記召し合わせ框２５ａと同じ側の縦框３２ｂとの間部分に設けている。そして、この様な位置に設けられた自走防止装置３７ａを、前記内障子１８ａを閉鎖位置から開放方向に移動させる事で、操作できる様にしている。尚、図示は省略するが、本参考例を移動可能な外障子１７に採用して、外障子１７を構成する戸先框２６ａと同じ側の網戸１９を構成する縦框３２ａに設けられた自走防止装置３７に加えて、前記縦框３２ｂに自走防止装置３７ａを設ける事もできる。
【産業上の利用可能性】
【００４５】
前述した実施の形態では、窓枠に建て込んだ外障子と内障子との両方の障子を、この窓枠の幅方向に水平移動可能に建て込んだ場合に就いて説明したが、本発明を実施する場合には、このうちの外障子のみを移動可能に建て込み、内障子に就いては、移動不能に建て込む事もできる。又、本発明は、障子が２枚建ての引違い窓に限らず、３枚建てや４枚建ての窓に適用する事もできる。
【００４６】
又、本発明を実施する場合、施錠具を構成する施錠片の構成に就いては、実施の形態で説明した様な、回動する構造に限定されず、上下方向や左右方向（窓枠の幅方向）にスライドする構造等を採用する事もできる。
【符号の説明】
【００４７】
１、１ａ  窓装置
２    窓枠
３    外障子
４    内障子
５    網戸
６    自走防止装置
７    施錠具
８    受具
９ａ、９ｂ  縦框
１０ａ、１０ｂ  縦枠
１１    操作部
１２    施錠片
１３    取付座部
１４    受片
１５    取付孔
１６    窓枠
１７    外障子
１８    内障子
１９    網戸
２０    上枠
２１    下枠
２２ａ、２２ｂ  縦枠
２３ａ、２３ｂ  上框
２４ａ、２４ｂ  下框
２５ａ、２５ｂ  召し合わせ框
２６ａ、２６ｂ  戸先框
２７ａ、２７ｂ  ガラスパネル
２８    網戸枠
２９    網
３０    上框
３１    下框
３２ａ、３２ｂ  縦框
３３    上部案内溝
３４    網戸用上部案内レール
３５    戸車
３６    網戸用下部案内レール
３７、３７ａ    自走防止装置
３８    網戸側施錠具
３９    障子側受具
４０    ケース部
４１    回動施錠片
４２ａ、４２ｂ  側板部
４３    連結板部
４４ａ、４４ｂ  予備取付孔
４５ａ、４５ｂ  支持孔
４６    開口部
４７ａ、４７ｂ  連結片
４８    切り欠き
４９ａ、４９ｂ  取付孔
５０    基半部
５１    先半部
５２    係止板部
５３    貫通孔
５４    枢軸
５５    先端部
５６    基端部
５７    ワッシャ
５８    屋内側壁
５９    網戸側開口部
６０ａ、６０ｂ  通孔
６１ａ、６１ｂ  取付ねじ
６２    取付座部
６３    受片
６４ａ、６４ｂ  取付孔
６５    受片本体部
６６ａ、６６ｂ  ガイド部
６７    見込壁
６８    ねじ孔
６９ａ、６９ｂ  取付ねじ
７０    網戸上部振れ止め
７１    網戸下部振れ止め
７２    縦枠室外側壁部
【図１】
0006480225.tif 000002
【図２】
0006480225.tif 000003
【図３】
0006480225.tif 000004
【図４】
0006480225.tif 000005
【図５】
0006480225.tif 000006
【図６】
0006480225.tif 000007
【図７】
0006480225.tif 000008
【図８】
0006480225.tif 000009
【図９】
0006480225.tif 000010
【図１０】
0006480225.tif 000011
【図１１】
0006480225.tif 000012
【図１２】
0006480225.tif 000013
【図１３】
0006480225.tif 000014
【図１４】
0006480225.tif 000015
【図１５】
0006480225.tif 000016
【図１６】
0006480225.tif 000017
【図１７】
0006480225.tif 000018